(57)【要約】【課題】本発明は、熱交換器で生成されるドレン水および本体背部外面に生成されるドレン水に対する排水処理効率を確保したうえで、本体内部への生空気の流入を阻止し、結露の防止と熱交換効率の向上化を得られる空気調和機の室内機を提供する。【解決手段】熱交換器８を構成する後熱交換器部８Ｂから滴下するドレン水を受ける後ドレンパン１２ｂの両側端部と、前熱交換器部８Ａから滴下するドレン水を受ける前ドレンパン１２ａの両側端部との間に亘って断面略Ｕ字状に形成される側部排水路Ｒａ，Ｒｂを設け、本体背部外面で生成されるドレン水を受ける外側ドレンパン１７を設け、外側ドレンパンが受けたドレン水を側部排水路に導く開口部２３を設け、側部排水路の上面開口部を閉塞する閉塞板Ｈを設け、側部排水路のドレン水を堰き止める堰き止め板Ｓａを設け、堰き止められるドレン水水面と閉塞板との間の空間スペースを遮断して前ドレンパン側への空気の流通を阻止するエアストップ用リブＳｂを閉塞板に設ける。【選択図】    図８
2011069549.tif 000002
【特許請求の範囲】
【請求項１】
吸込み口および吹出し口を備えた室内機本体と、
この室内機本体内に配置され、側面視で略逆Ｖ字状をなし室内機本体の前側に位置する前熱交換器部および後側に位置する後熱交換器部とから構成される熱交換器と、
前記熱交換器を構成する後熱交換器部の下部に配置され、後熱交換器部から滴下するドレン水を受ける後ドレンパンと、
前記熱交換器を構成する前熱交換器部の下部に配置され、前熱交換器部から滴下するドレン水を受ける前ドレンパンと、
後ドレンパンの両側端部と前ドレンパンの両側端部との間に亘って設けられ、後ドレンパンが集水したドレン水を前ドレンパンへ流通案内する、上面が開口し断面略Ｕ字状に形成される側部排水路と、
前記室内機本体の背部外面に突設され、室内機本体背部外面で生成されるドレン水を受ける外側ドレンパンと、
前記室内機本体の背部に開口され、前記外側ドレンパンが受けたドレン水を前記側部排水路に導く開口部と、
前記側部排水路の上面開口部を閉塞する閉塞板と、
前記側部排水路の中途部に設けられ、側部排水路を導かれるドレン水を一定水位にて堰き止め、それ以上の水位に上昇した分のドレン水を前ドレンパン側へオーバーフローさせる堰き止め板と、
前記閉塞板に設けられ、前記堰き止め板により堰き止められるドレン水に端部を没入させ、堰き止められるドレン水の水面上と前記閉塞板との間の空間スペースを遮断して、前ドレンパン側への空気の流通を阻止するエアストップ用リブと
を具備することを特徴とする空気調和機の室内機。
【請求項２】
前記熱交換器に覆われるようにして送風機が配置され、
前記側部排水路の上面開口部を閉塞する前記閉塞板は、
前記送風機を構成するファンの軸受具であるとともに、前記送風機を構成するファンモータをカバーするモータカバーである
ことを特徴とする請求項１記載の空気調和機の室内機。
【発明の詳細な説明】
【技術分野】
【０００１】
本発明は、空気調和機の室内機に係り、特にドレン水の処理構造の改良に関する。
【背景技術】
【０００２】
側面視で略逆Ｖ字状をなす熱交換器を備えた空気調和機の室内機が多用される。この種の室内機において、熱交換器を構成する前熱交換器部の下部に前ドレンパンが配置され、後熱交換器部の下部に後ドレンパンが配置されていて、それぞれのドレンパンは各熱交換器部の熱交換作用にともなって生成されたドレン水を受ける。
【０００３】
後ドレンパンが受けたドレン水は、後ドレンパンと前ドレンパンの両側端部相互間に亘って設けられる樋からなる側部排水路を介して前ドレンパンに導かれる。前ドレンパンにおいて、側部排水路を介して導かれるドレン水が前熱交換器部から滴下するドレン水と合流し、ドレンホースを介して外部へ排水される。
【０００４】
なお、室内機本体は、吸込み口と吹出し口を備えた前面筐体である前面パネルと、この前面パネルが嵌め込まれる後面筐体であり、空調室の壁面に直接取付けられる後本体とから構成される。上述した前ドレンパンと後ドレンパンおよび左右の側部排水路は、ともに後本体に一体に成形される。
【０００５】
後本体の前後ドレンパンと両側部排水路に囲まれる部分は隔壁部となっていて、熱交換器に覆われるようにして配置される室内送風機に沿う送風路の一部を形成する。この隔壁部は空調室の壁面に取付けられる取付け板とは別体に構成され、隔壁部外面には取付け板との隙間を介して侵入した室内空気が滞留する。
【先行技術文献】
【特許文献】
【０００６】
【特許文献１】特開２００７−１８７３９０号公報
【発明の概要】
【発明が解決しようとする課題】
【０００７】
通常、後本体の隔壁部は、薄肉の合成樹脂材で成形されている。隔壁部の内面には熱交換器で熱交換された冷気もしくは暖気が接触しながら流通し、外面には上述したように室内空気が滞留し接触しているので、隔壁部の内面と外面とで温度差がある。  
予め、隔壁部外面に断熱材を貼着して滞留空気の接触を阻止できれば問題ないが、本体背部周端に沿って室内壁面に本体を取付けるための取付け板を備えるところから構造が複雑化し、断熱材の貼着は一部に限られて大部分が露出する。したがって、冷房運転時には、露出する隔壁部外面において湿分が水滴状に変り、ドレン水となって流下する。
【０００８】
そこで、後本体成形の際に、隔壁部外面に水平な突条を一体に設けて、ドレン水を受ける。さらに、両側部排水路の上端に相当する隔壁部部位に開口部を設けて、前記突条が受けたドレン水を前記開口部を介して両側部排水路に導く構造が考えられる。  
しかしながら、本体の内面と外面とを仕切る隔壁部に開口部を設けると、ここにはドレン水ばかりでなく、隔壁部外に滞留している室内空気が流入してしまう。開口部から本体内に流入した室内空気は、熱交換器に導かれることなく、そのまま本体内に拡散する。
【０００９】
熱交換器とは熱交換しない、いわゆる生空気であるので、冷房運転時には、本体内部の特に吹出し口周辺が結露し、顕著な場合は水滴となって室内に飛散してしまう。また、暖房運転時において生空気の量が大となれば、熱交換効率の低下を招く。
【００１０】
本発明は上記事情にもとづきなされたものであり、その目的とするところは、熱交換器で生成されるドレン水および本体背部外面に生成されるドレン水の排水処理効率を確保したうえで、本体内部への生空気の流入を阻止して、結露の防止と熱交換効率の向上化を得られる空気調和機の室内機を提供しようとするものである。
【課題を解決するための手段】
【００１１】
前記目的を満足するため、本発明における空気調和機の室内機は、吸込み口および吹出し口を備えた室内機本体内に配置され側面視で略逆Ｖ字状をなし室内機本体の前側に位置する前熱交換器部および後側に位置する後熱交換器部とから構成される熱交換器と、後熱交換器部の下部に配置され滴下するドレン水を受ける後ドレンパンと、前熱交換器部の下部に配置され滴下するドレン水を受ける前ドレンパンと、後ドレンパンの両側端部と前ドレンパンの両側端部との間に亘って設けられ後ドレンパンが集水したドレン水を前ドレンパンへ流通案内する上面が開口し断面略Ｕ字状に形成される側部排水路と、  
室内機本体背部外面に突設され本体背部外面で生成されるドレン水を受ける外側ドレンパンと、室内機本体背部に開口し外側ドレンパンが受けたドレン水を側部排水路に導く開口部と、側部排水路の上面開口部を閉塞する閉塞板と、  
側部排水路の中途部に設けられドレン水を一定水位にて堰き止め、それ以上の水位に上昇した分のドレン水を前ドレンパン側へオーバーフローさせる堰き止め板と、閉塞板に設けられ堰き止め板により堰き止められるドレン水に端部を没入させドレン水の水面上と閉塞板との間の空間スペースを遮断して前ドレンパン側への空気の流通を阻止するエアストップ用リブとを具備する。
【発明の効果】
【００１２】
本発明によれば、側部排水路におけるドレン水の排水処理効率を確保したうえで、生空気の流通を阻止して、内部結露の防止と熱交換効率の向上を図れる効果を奏する。
【図面の簡単な説明】
【００１３】
【図１】本発明における一実施の形態に係る、空気調和機の室内機の概略側断面図。
【図２】同実施の形態に係る、室内機本体から前面パネルと熱交換器を取外して、後本体を残した状態の斜視図。
【図３】同実施の形態に係る、横流ファンとモータカバーを取外し、モータカバー位置に載置具を取付けた状態の斜視図。
【図４】同実施の形態に係る、軸受具と載置具を取外した後本体の斜視図。
【図５】同実施の形態に係る、軸受具を図３とは反対側から見た後本体一部の斜視図。
【図６】同実施の形態に係る、左側部排水路におけるドレン水の流れを説明する図。
【図７】同実施の形態に係る、後本体である隔壁部の外面に付着するドレン水と、このドレン水を受ける外側リブとを示す図。
【図８】同実施の形態に係る、外側ドレンパンから開口部を介して左右側部排水路に導かれるドレン水の状態を説明する図。
【発明を実施するための形態】
【００１４】
以下、本発明の実施の形態を、図面にもとづいて説明する。  
図１は、空気調和機の室内機における概略の縦断面図である。（なお、説明中に符号を付していない部品は図示していない。以下同じ）
室内機本体１は、前側筐体である前面パネル２と、後側筐体である後本体３とから構成されていて、上下方向に対して幅方向に長い横長形状をなす。前面パネル２の前面側一部に前面吸込み口４が開口され、この前面吸込み口４に対向する前面パネル２には開閉駆動機構に支持される可動パネル２Ａが開閉自在に嵌め込まれている。
【００１５】
前面パネル２の上部には上面吸込み口５が設けられていて、この上面吸込み口５には枠状の桟が嵌め込まれ、前記桟によって複数の空間部に仕切られている。前面パネル２の下端と後本体３の下端とで吹出し口６が形成され、この吹出し口６には、吹出し口６を開閉する、もしくは熱交換空気の吹出し方向を設定する吹出しルーバー７が設けられる。
【００１６】
室内機本体１内には、前熱交換器部８Ａと後熱交換器部８Ｂとで略逆Ｖ字状に形成される熱交換器８が配置される。前熱交換器部８Ａは、前面パネル２と間隙を存して湾曲状に形成され、前面吸込み口４全面および上面吸込み口５一部と対向する。後熱交換器部８Ｂは直状に形成されて斜めに傾斜し、上面吸込み口５と対向する。
【００１７】
前記熱交換器８で覆われるように、前後熱交換器部８Ａ，８Ｂ相互間には室内送風機１０が配置される。前記室内送風機１０は、ファンモータと、このファンモータの回転軸に一方の支軸が連結され、他端部は軸受具に支持される横流ファンとから構成される。横流ファンは熱交換器８と正しく対向して配置される。
【００１８】
後本体３には、前熱交換器部８Ａの下部に配置され、前熱交換器部８Ａから滴下するドレン水を受ける前ドレンパン１２ａと、前記後熱交換器部８Ｂの下部に配置され、後熱交換器部８Ｂから滴下するドレン水を受ける後ドレンパン１２ｂが一体に成形される。
【００１９】
後ドレンパン１２ｂの左右両側端部と前ドレンパン１２ａの左右両側端部との間に亘って一体に、後述する（図４に示す）側部排水路Ｒａ，Ｒｂが設けられる。前ドレンパン１２ａは吹出し口６の直上部に位置し、後ドレンパン１２ｂは前ドレンパン１２ａよりも上方部位に位置しているので、側部排水路Ｒａ，Ｒｂは後上部から前下部へ落差を有する。
【００２０】
前、後ドレンパン１２ａ，１２ｂの一部側壁外面は室内送風機１０に近接して設けられ、これらで室内送風機１０の横流ファンに対するノーズを構成する。前、後ドレンパン１２ａ，１２ｂと、左右の側部排水路Ｒａ，Ｒｂおよび、吹出し口６上辺部は、後本体３の一部をなす隔壁部１４によって連結される。
【００２１】
この隔壁部１４と対向する空間が、前面吸込み口４および上面吸込み口５から熱交換器８と送風機１０を介して吹出し口６に連通する送風路１５の一部を形成する。換言すれば、送風路１５は隔壁部１４の内面側に形成される。これに対して、隔壁部１４の所定部位には、外面側へ突出する外側ドレンパン１７が設けられる。  
このようにして前記後本体３には、前ドレンパン１２ａと、後ドレンパン１２ｂと、左右の側部排水路Ｒａ，Ｒｂと、隔壁部１４および外側ドレンパン１７が一体に成形されている。
【００２２】
図２は、図１に示す室内機本体１から前面パネル２と熱交換器８を取外して、後本体３を残した状態の斜視図である。  
後ドレンパン１２ｂと吹出し口６の形成部位間に、前記室内送風機１０が配置される。この室内送風機１０は、左右両端部を除く軸方向全長に亘って横流ファン１０Ｆが設けられる。横流ファン１０Ｆの図の右側端部にはファンモータをカバーするモータカバー１０Ｃが設けられ、左側端部には横流ファン１０Ｆを軸支する軸受具１８が設けられる。
【００２３】
なお説明すれば、モータカバー１０Ｃおよび軸受具１８はともに、後本体３の幅方向の側端部に設けられていて、前面パネル２を組立てた状態で、前面パネル２の一方（左側）の側面部は軸受具１８の側端縁に当接する。前面パネル２の他方（右側）の側面部は、モータカバー１０Ｃとは間隙を存するが、熱交換器８の配管部が間隙を埋める。
【００２４】
特に軸受具１８の上端部は、先に説明した略逆Ｖ字状に形成される熱交換器８の端板を載置できるよう、端板に沿った形状をなす。モータカバー１０Ｃは円筒状をなし、このままでは熱交換器８の端板を載置できないが、後述するように載置具１９を備えて熱交換器８の端板を載置する。
【００２５】
図３は、図２に示す横流ファン１０Ｆとモータカバー１０Ｃを取外し、モータカバー１０Ｃ位置に載置具１９を取付けた状態の斜視図である。図２とは一部構成が相違して示しているが、基本的には同一の室内機である。
【００２６】
先に説明したように、軸受具１８および載置具１９の上端部は、熱交換器８の端板を載置するよう、端板と同一形状をなす。後ドレンパン１２ｂと前ドレンパン１２ａとの間で、かつ軸受具１８と載置具１９（モータカバー１０Ｃ）とで囲まれる後本体３部位が前記隔壁部１４であり、送風路１５を形成する。
【００２７】
前記軸受具１８は、送風路１５の一方（左側）の側端部に沿って設けられる側部排水路Ｒａ上に載置される。図では示していないが、モータカバー１０Ｃは送風路１５の他方（右側）の側端部に沿って設けられる側部排水路Ｒｂ上に載置される。  
図４は、図３に示す軸受具１８と載置具１９を取外した後本体３の斜視図である。これにより、送風路１５の左右両側端部に沿って設けられる側部排水路Ｒａ，Ｒｂを説明できる。
【００２８】
左右側部排水路Ｒａ，Ｒｂは、後側端部が後ドレンパン１２ｂと連通し、前側端部が前ドレンパン１２ａと連通する。後ドレンパン１２ｂが高位置にあり、前ドレンパン１２ａが低位置にあるところから、側部排水路Ｒａ，Ｒｂは後上部から前下部へ落差を形成し、後ドレンパン１２ｂで受けたドレン水を側部排水路Ｒａ，Ｒｂを介して前ドレンパン１２ａに導けるようになっている。
【００２９】
左右の側部排水路Ｒａ，Ｒｂはともに、所定の間隔を存して平行な内側案内板２０および外側案内板２１と、これら内側案内板２０と外側案内板２１の下端部を連結する底板（すなわち隔壁部１４）とから構成される。したがって、両側部排水路Ｒａ，Ｒｂは断面で略Ｕ字状に形成され、上面が開口される。
【００３０】
左側部排水路Ｒａの内側案内板２０と外側案内板２１の上端縁形状は軸受具１８形状と合致し、軸受具１８を載置するのに最適な形状をなす。右側部排水路Ｒｂの内側案内板２０と外側案内板２１の上端縁形状はモータカバー１０Ｂ形状と合致し、モータカバー１０Ｂを載置するのに最適な形状をなす。
【００３１】
繰り返し述べるに、断面略Ｕ字状に形成される両側部排水路Ｒａ，Ｒｂの上面開口部は、一方では軸受具１８で閉塞され、他方ではモータカバー１０Ｃで閉塞されて、いわゆるトンネル状をなす。このことから、軸受具１８とモータカバー１０Ｃは、断面略Ｕ字状に形成される側部排水路Ｒａ，Ｒｂの上面開口部を閉塞する閉塞板Ｈでもある。
【００３２】
さらに、両側部排水路Ｒａ，Ｒｂにおける上端部には開口部２３が設けられる。この開口部２３は、隔壁部１４を貫通し後本体３を開口していて、隔壁部１４の外面に一体に突設される外側ドレンパン１７と対向する部位にある。したがって、開口部２３は、外側ドレンパン１７と両側部排水路Ｒａ，Ｒｂおよび後ドレンパン１２ｂを連通する。
【００３３】
図５は、軸受具１８を図３とは反対側（左斜め上部）から見た後本体３一部の斜視図である。  
この軸受具１８は左側部排水路Ｒａの上面開口部を塞ぐばかりでなく、左側部排水路Ｒａのさらに左側部と後本体３の左側面部との間に形成される空間スペースに突出し、空間スペース一部を覆う突出部を有する。
【００３４】
特に軸受具１８における上端部は、熱交換器８の端板を支持するのに支障のない、端板と同様形状で、かつ同一幅寸法に形成されていることは、先に説明した通りである。そして、上述した外側ドレンパン１７と左側部排水路Ｒａ後端部とを連通する開口部２３および、左側部排水路Ｒａ前端部と前ドレンパン１２ａとを連通する下開口部２４が見える。
【００３５】
このようにして構成される空気調和機の室内機であって、図示しないリモコン（遠隔操作盤）から運転開始の信号が送られてくると、制御部は可動パネル２Ａを移動させて前面吸込み口４を開放するとともに、室外機に備えられる圧縮機を駆動して熱交換器８に対する冷凍サイクル運転をなし、室内送風機１０を駆動する。
【００３６】
室内空気は前面吸込み口４と上面吸込み口５から吸込まれて熱交換器８を流通し、熱交換器８に導かれる冷媒と熱交換作用をなす。前記熱交換器８と熱交換したあとの熱交換空気は、送風路１５に沿って案内され吹出し口６から室内へ吹出される。したがって、室内に対する空気調和がなされる。
【００３７】
冷房運転の際には、熱交換器８にドレン水が生成して滴下する。前熱交換器部８Ａから滴下するドレン水を前ドレンパン１２ａが受け、後熱交換器部８Ｂから滴下するドレン水を後ドレンパン１２ｂが受ける。  
後ドレンパン１２ｂが前ドレンパン１２ａよりも高位にあり、しかも後ドレンパン１２ｂと前ドレンパン１２ａの両側端が左右側部排水路Ｒａ，Ｒｂを介して連通しているので、後ドレンパン１２ｂが受けたドレン水は左右側部排水路Ｒａ，Ｒｂに導かれ、さらに前ドレンパン１２ａに集溜される。
【００３８】
図６は、左側部排水路Ｒａにおけるドレン水の流れを説明する図である。ここでは左側部排水路Ｒａ上に載置される軸受具１８を取外して示している。  
左側部排水路Ｒａに導かれたドレン水は、側部排水路Ｒａを構成する内側案内板２０と外側案内板２１とに案内され、底板（隔壁部１４）上を流れる。そしてドレン水は、左側部排水路Ｒａから下開口部２４を介して前ドレンパン１２ａに導かれ、ここに集溜する。図示しない右側部排水路Ｒｂでも同様にドレン水が導かれる。
【００３９】
図７は、後本体３である隔壁部１４の外面に付着するドレン水と、このドレン水を受ける外側ドレンパン１７とを示す図である。  
隔壁部１４の外面側には室内空気が滞留する一方で、隔壁部１４の内面側では送風路１５を形成し、ここには熱交換器８で熱交換された冷気が流通する。隔壁部１４外面は暖められ、内面は冷却されて、温度差が生じる。隔壁部１４外面に接触する室内空気の水分が凝縮してドレン水が生成され、隔壁部１４外面に沿って流下する。
【００４０】
しかしながら、隔壁部１４外面に外側ドレンパン１７を設けたので、隔壁部１４外面に沿って流下するドレン水は外側ドレンパン１７で受けられる。さらに、ドレン水は外側ドレンパン１７の左右側端部に開口する開口部２３から、左右側部排水路Ｒａ，Ｒｂに案内される。
【００４１】
図８は、外側ドレンパン１７から開口部２３を介して左右側部排水路Ｒａ，Ｒｂに導かれるドレン水の状態を説明する図である。  
左右側部排水路Ｒａ，Ｒｂの中途部には堰き止め板Ｓａが設けられている。この堰き止め板Ｓａは、左右側部排水路Ｒａ，Ｒｂに導かれるドレン水を一定水位にて堰き止め、それ以上の水位に上昇した分のドレン水を前ドレンパン１２ａへオーバーフローさせるためのものである。
【００４２】
上述したように、左右側部排水路Ｒａ，Ｒｂに導かれるドレン水は、後ドレンパン１２ｂが後熱交換器部８Ｂから受けた分と、外側ドレンパン１７が隔壁部１４外面から受けた分とが合流したものである。堰き止め板Ｓａの存在により、左右側部排水路Ｒａ，Ｒｂの中途部において常に一定量のドレンパンが貯留されることになる。
【００４３】
さらに、断面略Ｕ字状に形成される左右側部排水路Ｒａ，Ｒｂの上面開口部を閉塞する閉塞板Ｈである軸受具１８とモータカバー１０Ｃの下面部には、エアストップ用リブＳｂが一体に突設される。このエアストップ用リブＳｂと堰き止め板Ｓａは、互いに間隙を存して略平行に並び、左右側部排水路Ｒａ，Ｒｂの幅方向と略同一に形成される。
【００４４】
なお説明すると、エアストップ用リブＳｂの幅寸法は、内側案内板２０と外側案内板２１との間隔寸法と略同一であり、これら案内板２０，２１相互間に嵌め込まれる。エアストップ用リブＳｂの基端部である閉塞板Ｈ板面から先端部である突出端までの長さ寸法は、堰き止め板Ｓａによって溜められるドレン水に没入する長さに設定されている。
【００４５】
したがって、開口部２３から左右側部排水路Ｒａ，Ｒｂに導かれるドレン水は、エアストップ用リブＳｂの突出端と底板（隔壁部１４）との間を円滑に流れて、堰き止め板Ｓａで一旦堰き止められる。さらに左右側部排水路Ｒａ，Ｒｂに流入した分が、堰き止め板Ｓａ上端縁からオーバーフローして前ドレンパン１２ａ側へ導かれることになる。
【００４６】
前記エアストップ用リブＳｂを閉塞板Ｈに設けたので、堰き止め板Ｓａに堰き止められるドレン水の水面上と閉塞板Ｈとの間で、内側案内板２０と外側案内板２１との間に形成される空間スペースが遮断される。
【００４７】
隔壁部１４の外面側に滞留していた室内空気が、開口部２３から左右側部排水路Ｒａ，Ｒｂに導かれることは阻止できない。この状態で左右側部排水路Ｒａ，Ｒｂを構成する内側案内板２０と外側案内板２１の上端部に閉塞板Ｈが載り、側部排水路Ｒａ，Ｒｂは、言わばトンネル状に形成されている。
【００４８】
実際には、側部排水路Ｒａ，Ｒｂの底板上をドレン水が流れているので、このドレン水水面上で内外側案内板２０，２１と閉塞板Ｈとで囲まれる空間部を室内空気が導かれる。しかしながら、ある程度、側部排水路Ｒａ，Ｒｂ内に侵入したところで、エアストップ用リブＳｂによって前ドレンパン１２ａ側への室内空気の流れが阻止される。
【００４９】
開口部２３から左右側部排水路Ｒａ，Ｒｂに侵入した室内空気がエアストップ用リブＳｂから先に侵入することがないので、室内機本体１内に拡散することもない。冷房運転時に、生空気が室内機本体１内に充満することがないから、構成部品に露付きがなく、吹出し口６から室内へ水滴が吹出されることもない。  
暖房運転時には、熱交換しない生空気が吹出し口６から吹出されることはないから、熱交換効率の低下がなく、常に設定温度の熱気が吹出される。
【００５０】
なお、エアストップ用リブＳｂを備えた閉塞板Ｈを、室内送風機１０を構成する横流ファン１０Ｆの軸受具１８もしくは、ファンモータのモータカバー１０Ｃとしたから、特に閉塞板Ｈとしての専用部品を備える必要はない。  
また、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【符号の説明】
【００５１】
４…前面吸込み口、５…上面吸込み口、６…吹出し口、１…室内機本体、８Ａ…前熱交換器部、８Ｂ…後熱交換器部、８…熱交換器、１２ｂ…後ドレンパン、１２ａ…前ドレンパン、Ｒａ…（左）側部排水路、Ｒｂ…（右）側部排水路、１７…外側ドレンパン、２３…開口部、Ｈ…閉塞板、Ｓａ…堰き止め板、Ｓｂ…エアストップ用リブ。
【図１】
2011069549.tif 000003
【図２】
2011069549.tif 000004
【図３】
2011069549.tif 000005
【図４】
2011069549.tif 000006
【図５】
2011069549.tif 000007
【図６】
2011069549.tif 000008
【図７】
2011069549.tif 000009
【図８】
2011069549.tif 000010